(57)【要約】  本発明は、複数の放射波長で光線を放射する光学ソース（２）と、各々がホログラフィック媒体（ＭＨ）を備える少なくとも１つのレーザ（３）と、前記光学ソース（２）から派生した前記光線を前記少なくとも１つのレーザ（３）に注入する手段（ＦＯ、ＭＣＳ、ＭＵＸ、ＣＯ、ＩＯ、ＡＶ）と、を備え、前記ホログラフィック媒体（ＭＨ）は、ホログラムを生成することによって、前記少なくとも１つのレーザが少なくとも１つの振動モードで振動するように適合し、前記少なくとも１つの振動モードは、前記複数の放射波長の中の少なくとも１つの励起波長によって決定される光学装置（１）に関する。本発明は、前記光学ソースが、前記複数の放射波長で同時に放射する光源を備えることを特徴とする。
2009512205.tif 000002
【特許請求の範囲】
【請求項１】
複数の放射波長で光線を放射するように適合した光学ソース（２）と、
各々がホログラフィック媒体（ＭＨ）を備える少なくとも１つのレーザ（３）と、
前記光学ソース（２）から派生した前記光線を前記少なくとも１つのレーザ（３）に注入する手段（ＦＯ、ＭＣＳ、ＭＵＸ、ＣＯ、ＩＯ、ＡＶ）と、を備え、
前記ホログラフィック媒体（ＭＨ）は、ホログラムを生成することによって、前記少なくとも１つのレーザが少なくとも１つの振動モードで振動するように適合し、
前記少なくとも１つの振動モードは、前記複数の放射波長の中の少なくとも１つの励起波長によって決定される、光学装置（１）であって、
前記光学ソースは、前記複数の放射波長で同時に放射する光源を備えることを特徴とする、光学装置（１）。
【請求項２】
前記注入する手段は、前記複数の放射波長の中から少なくとも１つのフィルタリング波長を選択するように適合した光学フィルタ（ＦＯ）をさらに備える、請求項１に記載の光学装置。
【請求項３】
前記少なくとも１つのフィルタリング波長は、変数である、請求項２に記載の光学装置。
【請求項４】
前記注入する手段は、光アイソレータ（ＩＯ）を備える、請求項１に記載の光学装置。
【請求項５】
前記注入する手段は、可変減衰器（ＡＶ）を備える、請求項１に記載の光学装置。
【請求項６】
前記注入する手段は、光サーキュレータ（ＣＯ）を備える、請求項１に記載の光学装置。
【請求項７】
前記注入する手段は、少なくとも１つの出力を備える空間スイッチ手段と、前記複数の放射波長の中から少なくとも１つのフィルタリング波長を選択するように適合した前記複数の放射波長のためのフィルタリング手段と、を備え、
前記空間スイッチ手段の前記少なくとも１つの出力の各々を前記少なくとも１つのレーザの各々に接続することによって、前記光学ソースから派生した前記光線を前記少なくとも１つのレーザの各々に選択的に注入し、
前記少なくとも１つのレーザの各々の前記選択は、前記少なくとも１つのフィルタリング波長に依存する、請求項１に記載の光学装置。
【請求項８】
前記空間スイッチ手段は、空間スイッチマトリックスを備える、請求項７に記載の光学装置。
【請求項９】
前記フィルタリング手段は、マルチプレクサデマルチプレクサ内の前記スイッチ手段に組み込まれる、請求項７または８に記載の光学装置。
【請求項１０】
前記光源は、増幅自然放出光源である、請求項１〜９のいずれか１項に記載の光学装置。
【発明の詳細な説明】
【技術分野】
【０００１】
本発明は、複数の放射波長で光線を放射するように適合した光学ソースと、各々がホログラフィック媒体を備える少なくとも１つのレーザと、前記光学ソースから派生した前記光線を前記少なくとも１つのレーザに注入する手段と、を備える光学装置であって、前記ホログラフィック媒体は、ホログラムを生成することによって、少なくとも１つのレーザが少なくとも１つの振動モードで振動するように適合し、前記少なくとも１つの振動モードは、前記複数の放射波長の中の少なくとも１つの励起波長によって決定される、光学装置に関する。
【背景技術】
【０００２】
このタイプの装置は、例えば、N. Dubreuil、G. Pauliat、およびG. Roosenによる文献「Tunable Self-Adaptive Laser Diode with Wavelength All-Optical Addressing」（ＥＣＯＣ  ２００４  議事録  第３巻  報告書  Ｗｅ４．Ｐ．０６５、ｐ．６００〜６０１）によって知られている。この場合、使用される光学ソースは、可干渉距離が長く波長可変であるいわゆる「マスタレーザ」である。このマスタレーザは、キャビティのホログラフィック材料中の記録を介するスレーブレーザのキャビティのアドレッシングに使用される。
【０００３】
より正確にいうと、マスタレーザから派生した光線がスレーブレーザのキャビティに注入される場合、後者によって放射されたスペクトルが変更される。スレーブレーザのキャビティにおいて振動するモードの新しい構造によって、ダイナミックホログラフィック媒体にホログラムが記録される。このホログラムによって、スレーブレーザのキャビティにおいて振動する１つまたは複数のモードの損失を低減し、特定のモードにおけるスレーブレーザの動作を補強することができる。マスタソースから派生した光線を遮断したとき、ホログラムが持続されるため、スレーブレーザは、注入中にマスタソースによって与えられた波長を保持することができる。こうして、スレーブレーザの波長を、マスタソースから派生した光線の光注入によって決定し、スレーブレーザのキャビティ中に挿入されたダイナミックホログラフィック媒体によって記憶する。そして、この波長は、マスタレーザから派生した光線を遮断した後保持される。したがって、第１のスレーブレーザが依然として固定波長に従って振動していてもなお、第２のスレーブレーザをおそらく異なる波長でアドレッシングすることが可能である。
【発明の開示】
【発明が解決しようとする課題】
【０００４】
しかしながら、このマスタレーザによるスレーブレーザの有利なアドレッシング法には、不利な点がいくつかある。
【０００５】
まず、マスタレーザが使用される場合、レーザの波長をスレーブレーザキャビティのモードの近傍に最高の精度で調整することによって、注入条件に準拠する必要がある。マスタレーザの波長がスレーブキャビティのモードの波長から離れすぎると、スレーブレーザの動作がマスタレーザの波長の近傍の波長で動作するように変動しない。このように波長可変レーザの波長を調整しなければならないことが、上記の出版物で記載されるように、実装する際に不利になることが理解されるであろう。
【０００６】
上記の従来技術による装置の第２の不利な点は、マスタレーザとスレーブレーザとの間の偏光制限に関する。実際に、マスタレーザの偏光状態がスレーブレーザの偏光状態に垂直である場合、スレーブレーザの動作は、マスタレーザから派生した光線によって干渉されないため、アドレッシングを行うことができない。このような理由で、上記の従来技術による実装では、これらの２つのレーザの偏光が少なくとも垂直にならないようにするため偏光計が必要になる。偏光計を必要とすることは、上記の従来技術による実装の際に不利になることを理解されたい。さらに、光ファイバを使用してマスタレーザとスレーブレーザとの間の物理的関係が提供される状況では、ファイバに複屈折が引き起こされるが、結果としてこの複屈折が光線の偏光状態に作用する。このため、システム的に偏光計を調整することによって、複屈折における変動を補正しなければならない。したがって、マスタソースとスレーブキャビティとの間の偏光制限を排除できると有利である。
【０００７】
上記の従来技術による装置の第３の不利な点は、使用される単一モードレーザのコストがかかることと、実装が相対的に複雑であることである。
【０００８】
したがって、本発明の目的の１つは、上記の不利な点の少なくとも１つを改善することである。
【課題を解決するための手段】
【０００９】
この目的のため、本発明によれば、複数の放射波長で光線を放射するように適合した光学ソースと、各々がホログラフィック媒体を備える少なくとも１つのレーザと、前記光学ソースから派生した前記光線を前記少なくとも１つのレーザに注入する手段と、を備え、前記ホログラフィック媒体は、ホログラムを生成することによって、前記少なくとも１つのレーザが少なくとも１つの振動モードで振動するように適合し、前記少なくとも１つの振動モードは、前記複数の放射波長の中の少なくとも１つの励起波長によって決定される、光学装置であって、前記光学ソースは、前記複数の放射波長で同時に放射する光源を備えることを特徴とする、光学装置が提供される。
【００１０】
以下において、前記複数の放射波長で同時に放射する光源を備える前記光学ソースを「広帯域光源」という。離散的または連続的にこれらの複数の放射波長を同時に生成することができる。このような広帯域光源の一例として、増幅自然放出処理（ＥＳＡ）によって光を発する光源がある。
【００１１】
例えば、０．４ｎｍ（１００ギガヘルツ）間隔のいくつかの波長のくし形フィルタによってスレーブレーザの波長でアドレッシングを行うことを想定する。この場合、上記の従来技術によれば、数ピコメートル（数ＧＨｚ）のオーダの精度でマスタレーザの波長を調整しなければならない。本発明によれば、一般に、帯域幅がおそらく０．４ｎｍ（１００ＧＨｚ）である広帯域光源を選ぶことができる。この光源の中心の波長は、目標とする波長の近傍に調整されるが、スレーブレーザに関して目標とする波長間の空間の端数程度の精度で調整することができる。
【００１２】
さらに、広帯域光源がすべての偏光状態を備える光線を放射する有利な場合において、それでもなおキャビティのモードに垂直でない偏光状態があるため、偏光計の利用を回避することができるであろう。
【００１３】
前記少なくとも１つの波長に関連する特定の振動モードを選択するため、前記注入手段は、利点として、前記複数の放射波長の中から少なくとも１つのフィルタリング波長を選択するように適合した光学フィルタを備える。
【００１４】
前記少なくとも１つのフィルタリング波長は、例えば、光学フィルタに関する中心の波長と空間選択性との、例えば、調整可能な２つの長さを特定することによって、取得される。
【００１５】
さらに、前記振動モードを変更できるように、前記少なくとも１つのフィルタリング波長は、可変である。
【００１６】
また、外部からの妨害する照明から前記光学ソースを保護するため、前記注入手段は、さらに、前記光学ソースの出力に配置される光アイソレータを備えてもよい。
【００１７】
また、前記光学ソースから派生した光線の電力を調整できるように、前記注入手段は、さらに、可変減衰器を備えてもよい。
【００１８】
また、元来周知のように、前記レーザは、光学キャビティおよび増幅媒体を備えることに留意されたい。
【００１９】
さらに、特定の実施例では、前記光学ソースから派生した光線を前記少なくとも１つのレーザに注入する前記手段は、光サーキュレータを備える。
【００２０】
光サーキュレータを使用して、前記レーザが放射した光放射から前記光学ソースを隔離することは、有利であり、光アイソレータを使用しなくてもよくなることに留意されたい。
【００２１】
さらに、他の実施例によれば、前記注入手段は、少なくとも１つの出力を備える空間スイッチ手段と、前記複数の放射波長の中から少なくとも１つのフィルタリング波長を選択するように適合した前記複数の放射波長のフィルタリング手段と、を備える。そして、前記空間スイッチ手段の前記少なくとも１つの出力の各々を前記レーザの各々に接続することによって、前記光学ソースから派生した前記光線を前記レーザの各々に選択的に注入する。また、前記レーザの各々の前記選択は、前記少なくとも１つのフィルタリング波長に依存する。
【００２２】
後者の実施例において、複数の前記スレーブレーザの場合、これらを多様な波長でアドレッシングすることができることは、有利である。
【００２３】
一実施例によれば、前記フィルタリング手段は、マルチプレクサデマルチプレクサ内の前記スイッチ手段に組み込まれ、好ましくは、各出力に関連する波長だけでなく、空間選択性および／または空間選択性の幅を調整することができる。
【００２４】
本発明の他の目的および利点は、以下の詳細な説明を読み進むにつれて明らかになるであろう。
【発明を実施するための最良の形態】
【００２５】
同じ参照符号が同一または同様の要素を示している以下の図面を参照すれば、本発明をさらに理解するであろう。
【実施例】
【００２６】
図１に例示するように、本発明による装置１の概略図を示す。この装置は、以下において「スレーブレーザ」とも呼ばれるレーザ３を備える。元来周知のように、レーザ３は、ミラーＣおよびＣＳによって形成される光学キャビティと増幅媒体ＭＡとを備える。また、レーザ３は、ダイナミックホログラフィック媒体ＭＨを備える。スレーブレーザ３の光学キャビティの波長は、「マスタソース」とも呼ばれる光学ソース２から派生した光線の光注入によって決定される。このマスタソース２は、広帯域スペクトルを有する外部光源ＳＬであり、光学フィルタＦＯを使用してフィルタリングする場合がある。
【００２７】
マスタソースから派生した光線がスレーブレーザのキャビティに注入されるとき、後者によって放射されたスペクトルは、変更される。（スレーブレーザ３のキャビティで振動する）モードの新しい構造によって、ダイナミックホログラフィック媒体にホログラムが記録される。このホログラムによって、スレーブレーザ３のキャビティにおいて振動するモードの損失が低減され、特定のモードにおけるスレーブレーザの動作を補強することができる。マスタソース２から派生した光線を遮断したとき、ホログラムが持続されるため、スレーブレーザ３は、注入中にマスタソースによって与えられた波長を保持することができる。こうして、スレーブレーザ３の波長を、マスタソース２から派生した光線の光注入によって決定し、スレーブレーザのキャビティ中に挿入されたダイナミックホログラフィック媒体によって記憶する。そして、この波長は、マスタソース２が放射した光線を遮断した後保持される。
【００２８】
スレーブレーザは、増幅媒体ＭＡと少なくとも２つのミラーＣおよびＣＳによって形成される線形キャビティとを備える。ミラーＣおよびＣＳは、それぞれ、「カプラ」と「出力カプラ」とも呼ばれ、それらの内側には、ダイナミックホログラフィック媒体ＭＨが挿入されている。マスタソースは、広帯域放射スペクトルを有する光源ＳＬを備え、固定または可変波長を中心とする帯域通過タイプの光学フィルタＦＯを使用してフィルタリングすることができる。
【００２９】
光源ＳＬが所要のスペクトル特性をもつ場合、特に、発光バンドが光学キャビティ３内で励起する振動モードに対応する場合、光学フィルタＦＯは、省略可能である。
【００３０】
マスタソース２から派生した光線は、直接、あるいは、外部の妨害となる照明からマスタソースを保護する光アイソレータＩＯ、および／または、スレーブレーザに注入されるマスタレーザから派生した光線の電力を調整することができる可変減衰器ＡＶを前もって通過した後、スレーブレーザ３に注入される。
【００３１】
これらの多様な構成要素間（図における黒い矢）は、自由空間において、または、例えば、光ファイバタイプの光学波動管において光学的に接続される。
【００３２】
次に、本発明の多様で有利な実施例について説明する。
【００３３】
第１の実施形態によれば、図２に示されるように、マスタソース２が放射した光線は、光サーキュレータＣＯを介してスレーブレーザの光学キャビティに注入される。マスタソースから派生した光線は、光サーキュレータＣＯ中を通過して直接スレーブレーザ３に向けられ、同時に鏡ＣＳ上に投射される。スレーブレーザが発生したレーザ光線は、カプラＣを介してまたは出力カプラＣＳを介して出力される場合がある。出力カプラＣＳを介して放射された光線は、光サーキュレータＣＯ上に投射されて外側に向けられるが、マスタソースには向けられない。
【００３４】
スレーブレーザのカプラＣが非常によく反射する鏡である場合、光サーキュレータＣＯの使用は、特に興味深いものとなる。さらに、光サーキュレータＣＯは、スレーブレーザが放射する光放射からマスタソースを隔離するので、下記のように、むしろ光アイソレータＩＯを考慮しなくてもよくなる。
【００３５】
代替案によれば、マスタソースから派生した光線は、その後、光サーキュレータＣＯ中を通過して直接スレーブレーザ３に向けられ、同時に鏡Ｃ上に投射される。スレーブレーザが発生したレーザ光線は、カプラＣを介してまたは出力カプラＣＳを介して出力される場合がある。出力カプラＣを介して放射された光線は、光サーキュレータＣＯ上に投射されて外側に向けられるが、マスタソースには向けられない。出力カプラＣＳを介して放射された光線に関しては、外側に向けられる。
【００３６】
図３に例示する第２の実施例によれば、多様なスレーブレーザに注入するためマスタソースから生じた光線を有利に使用する。
【００３７】
実際には、１つのスレーブレーザの注入時間は、ホログラフィック媒体ＭＨに記録するのに必要とされる時間に実質的に対応している。この記録の他に、他のスレーブレーザに関して光線を利用し、同時に、第１のスレーブレーザが選択されたモードでなお振動し続けることが可能である。
【００３８】
したがって、この実施例によれば、マスタソースから派生した光線は、スレーブレーザに向かって移動し、テストされる。例えば、上記のようなＮ個のスレーブレーザが配置され、これらのスレーブレーザは、空間スイッチングマトリックスＭＣＳによってすべてマスタソースに接続されている。このマトリックスの目的は、マスタレーザから派生した光線を、マトリックスＭＣＳから多様な出力Ｓ１、Ｓ２、…ＳＮに接続される数個のスレーブレーザの１つに向けて接続する光路を選択することである。
【００３９】
特に、マスタソース２の波長が調整可能である場合、例えば、光学フィルタＦＯ上で作用することによって、１つのマスタソースのみを使用してＮ個のスレーブレーザを制御することは、非常に興味深い。このように、各スレーブレーザは、多様な波長でアドレッシング可能である。このアドレッシングは、光学的なものであり、再構成することができる。スレーブレーザの動作の波長を変化させるには、事前にマスタソースを新しい波長の近傍に調整する間に、注入プロセスを繰り返せば十分である。したがって、レーザのマトリックスを利用して、再構成可能な波長の光アドレッシングが可能である。
【００４０】
また、この実施例の代替の解決法によれば、光サーキュレータＣＯは、マスタソースと空間スイッチングマトリックスとの間で統合されてもよい。これによって、光サーキュレータＣＯの上記の長所による利点を得ることができる。
【００４１】
図４に例示するように、すなわち、他の実施例によれば、空間スイッチングマトリックスＭＣＳを、スペクトル選択機能を導入すると同時に、マスタソースをマルチプレクサデマルチプレクサＭＵＸの出力Ｓ１、Ｓ２、…、ＳＮを介してＮ個のスレーブレーザ３に接続するよう構成される機能をもつ、マルチプレクサデマルチプレクサＭＵＸと入れ換えてもよい。
【００４２】
また、マルチプレクサデマルチプレクサＭＵＸは、広帯域光源ＳＬの光学フィルタリング機能を提供する。したがって、上記のように、例えば光学フィルタリングＦＯを取り除くことが可能である。
【００４３】
また、前記の代替の実施例によれば、光サーキュレータＣＯは、広帯域光源ＳＬとマルチプレクサデマルチプレクサＭＵＸとの間に挿入することができる。この光サーキュレータＣＯの有利な点は、上記のものと同じである。
【００４４】
次に、図５および図６に例示するように実験結果が得られる本発明による装置について述べる。
【００４５】
使用される広帯域光源ＳＬは、増幅自然放出（Amplified Spontaneous Emission）タイプの光ファイバ光源である。この光源は、レーザダイオードによって励起されるエルビウムイオンをドーピングした光ファイバの利用に基づいている。このように励起されるファイバは、ファイバの基本モードで放射することによって空間的コヒーレント光線を出力に供給する。この光線の連続スペクトルは、１５６５〜１６１０ｎｍの間の広いスペクトル帯域に拡張される。さらに、これによって、＋１０ｄＢｍ（１０ｍＷ）より大きい電力が提供される。使用される光源は、例えば、「Photonetics」という会社の「Fiber White」という名前で市販される光源である。最後に、光線の生成は、自発放出光子発生プロセスという処理に基づく。その後これらのうちのいくつかは増幅され、この光線は、可能な偏光状態のすべてを備える。
【００４６】
広帯域の光源ＳＬから派生した光線は、その後光学フィルタリングＦＯを介してフィルタリングされ、この光線の中心の波長は、フィルタを通過するスペクトル幅になるように調整することができる。このフィルタは、帯域通過タイプのフィルタである。例えば、デマルチプレクサの特定の特性が、チャネル間の空間（したがって、各フィルタの波長）とチャネルに関連するスペクトル幅とを調整することができるように構成される限り、通信で使用されるデマルチプレクサを使用してもよい。このようなフィルタは、例えば、「Kylia」という会社によって市販される「Tunable Mics」という商標名で知られている。このフィルタの性能としては、２０ＧＨｚと５０ＧＨｚとの間のフィルタリング幅の調整が可能である。また、（１５３０ｎｍと１６１０ｎｍとの間の）帯域ＣおよびＬ上の波長で完全に調整可能である。
【００４７】
また、以前に述べたフィルタに続いて、スレーブレーザ中に注入する電力を制御するための可変減衰器を配置することができる。また、光サーキュレータＣＯを配置することによって、マスタソースからスレーブレーザのキャビティ中への注入とスレーブレーザからのプロパティの解析との両方を行うことができる。
【００４８】
スレーブレーザソース３は、例えば、光屈折結晶を備える拡張キャビティに実装されるレーザダイオード光源である。このレーザダイオード光源は、回折が制限されたレーザダイオードで構成され、その出力面は、（残留反射率が０．００１％より低い）反射防止膜で処理されている。これは、増幅媒体の役割を担う。このレーザのキャビティは、ダイオードの背面の鏡と、離れたところにある反射係数が約１０％の平面鏡とによって形成される。レーザダイオードが放射した光線を非球面レンズを使用して平行にする。結局、テルル化カドミウム（Cadmium Telluride：ｃｄ  Ｔｅ）光屈折結晶は、このレンズと離れたところにある鏡との間に挿入される。この結晶は、屈折率網が自発的に展開されるダイナミックホログラフィック媒体を構成する。
【００４９】
スレーブレーザおよびマスタソースの出力における信号の解析は、カプラ５０／５０を挿入することによって２つの異なる方法で行われる。例えば、「Melles Griot」という商品名で市販されるＦａｂｒｙ−Ｐｅｒｏｔ装置によって、振動の単一モード特性をチェックすることができる。この場合、例えば、「Walics」という商品名で市販される光スペクトルアナライザによって、マスタおよびスレーブに関連する光スペクトルを解像度２０ｐｍで同時に測定する。
【００５０】
アドレッシングの結果を得るため、広い光源によってスペクトルを波長でスキャンし、アドレッシングされたモードをすべて記録する。図６は、波長可変フィルタを使用してフィルタリングされた広帯域光源の注入後のスレーブレーザによって記憶されたすべてのスペクトルを示す。同調フィルタの中心波長の位置は、各スペクトルに対応し、マスタ−スレーブ関係が消滅した後、測定される。また、図６は、広帯域光源のスペクトルを示し、このスペクトルによって各モードのアドレッシングが可能になる。
【００５１】
図６の波長における各ピークは、本発明による装置によって広帯域光源のアドレッシングが正確に動作することを示す。
【産業上の利用可能性】
【００５２】
次に、通信分野における本出願の産業上の利用について述べる。装置は、例えば、「受動光ネットワーク（Passive Optical Networks：ＰＯＮ）」における放射源として使用してもよい。ＰＯＮは、可能な限り加入者に近いいわゆる「アクセスネットワーク」用に展開可能な光ファイバネットワークを示す。
【００５３】
本発明による装置によって、現在研究されている解決法に関してかなり改善することができる。これらの解決法のいくつかにおいては、光ファイバによって加入者をセンタに接続するように構成される。そして、加入者は、特定の波長を中心とするエミッタを有し、このエミッタは、ファイバによってセンタに接続されている。各波長は、各加入者に対応している。現時点で選ばれる解決法の１つにおいては、コストが理由で、加入者の所にＦａｂｒｙ−Ｐｅｒｏｔタイプのレーザダイオードを配置するように構成される。このレーザダイオードは、任意の外部照明から隔離されており、スペクトル品質は低い。センタに増幅自然放出（Amplified Spontaneous Emission：ＥＳＡ）タイプの光源を配置し、この光源の出力を、マルチプレクサデマルチプレクサ（ＭＵＸ）にも接続される光サーキュレータによって、加入者の所に配置された多様なレーザダイオードに接続する。これによって、各加入者のレーザダイオードが、接続しているＭＵＸチャネルが伝える波長の周辺に設定されることが示される。そして、これらのダイオードは、加入者からセンタへ情報を返すことができるように変調される。
【００５４】
このタイプのアーキテクチャの不利な点は、加入者の所に配置された前記レーザの波長制御によって、レーザとＥＳＡ光源とが関連し続けるようにしなければならないことである。この光源がこれ以上レーザに注入されなくなるとすぐ、ダイオードの適切なスペクトル特性は失われ、その結果として、送信の中断を引き起こす。さらに、ＥＳＡ光源が存在し続けるという事実によって、受光器に対する干渉が生じる。実際に、ＥＳＡ光源は、受光器のレベルで光の妨害を引き起こす。これによって、信号対検出ノイズの比率の品質が低下し、送信の品質を犠牲にしてしまう。最終的に、レーザダイオードの各々がＥＳＡタイプの外部光源を介して注入を受けるという事実により、これらのダイオードが放射する光線上にさらに過度なノイズが生じるという結果になる。
【００５５】
逆に、本発明によれば、前記スレーブレーザがマスタソースから派生した光線の注入を非常に短い時間（一般に１００ｍｓ）だけ受けることによって、多様なスレーブレーザの波長を選択することができる。その後、スレーブレーザは、これ以上注入を受けないで、変調モードで加入者からセンタに情報を送信することができる。したがって、受光器のレベルにおけるＳＮ比の品質が向上し、文献において開示されたシステムとは対照的に、ＥＳＡ光源が存在しなくなることが容易に理解できるであろう。
【００５６】
さらに、スレーブレーザが放射した光線のノイズは、ＥＳＡ光源からの注入を受けたレーザダイオードよりはるかに少なくなると予想される。最終的には、スレーブレーザのレベルで記録されたスペクトル品質（３５ｄＢより高いサイドモードの除去率）によって、各加入者に関連する多様なチャネル間の混信が非常に低減する結果になることが期待される。
【図面の簡単な説明】
【００５７】
【図１】本発明による装置の図である。
【図２】本発明の第１の実施例による装置の図である。
【図３】本発明の第２の実施例による装置の図である。
【図４】本発明の第３の実施形態による装置の図である。
【図５】実験的実施例の範囲内の本発明による装置の図である。
【図６】本発明による装置を使用することによって得られるアドレッシングの結果を示す図である。
【図１】
2009512205.tif 000003
【図２】
2009512205.tif 000004
【図３】
2009512205.tif 000005
【図４】
2009512205.tif 000006
【図５】
2009512205.tif 000007
【図６】
2009512205.tif 000008
【国際調査報告】
2009512205.tif 000009
2009512205.tif 000010
2009512205.tif 000011
2009512205.tif 000012
2009512205.tif 000013
2009512205.tif 000014